【手続補正書】
【提出日】平成22年2月17日(2010.2.17)
【手続補正１】
【補正対象書類名】特許請求の範囲
【補正対象項目名】全文
【補正方法】変更
【補正の内容】
【特許請求の範囲】
【請求項１】
ケーシングと、表面上に置かれるべきペン先と、前記表面上の前記ペン先の位置を検出するための位置決めモジュールと、前記表面上での前記ペン先の検出位置に応じて音声信号を出力するように構成された音声モジュールと、を備え、
前記位置決めモジュールおよび前記音声モジュールは、前記ケーシング内に収納される一体型の構成要素取付けユニットを形成することを特徴とする電子ペン。
【請求項２】
前記位置決めモジュールおよび前記音声モジュールは、前記取付けユニットの一部を形成する共通の一体型の保持体を有する、請求項１に記載の電子ペン。
【請求項３】
前記位置決めモジュールおよび前記音声モジュールは、前記共通の保持体に取り付けられる共通のプリント回路基板を有する、請求項２に記載の電子ペン。
【請求項４】
前記位置決めモジュールは、第１の保持部材を有し、前記音声モジュールは、第２の保持部材を有し、前記第１と第２の保持部材は、互いに接続されて保持構造を形成する、請求項１に記載の電子ペン。
【請求項５】
前記位置決めモジュールは、前記第１の保持部材に取り付けられる第１のプリント回路基板を有し、前記音声モジュールは、前記第２の保持部材に取り付けられる第２のプリント回路基板を有する、請求項４に記載の電子ペン。
【請求項６】
前記第１と第２のプリント回路基板の間に機械的接続または電気的接続のうちの少なくとも１つを提供するように構成された接続手段をさらに備える、請求項５に記載の電子ペン。
【請求項７】
前記接続手段は、前記第１と第２のプリント回路基板の間に配置される接続部材を備え、前記接続部材は、前記第１と第２のプリント回路基板の各々への電気的接続を提供するための突出接続ピンを有する、請求項６に記載の電子ペン。
【請求項８】
前記第１と第２保持部材との接続は、前記ペン先への衝撃に起因する前記取付けユニットへの衝撃を緩和する手段を備える、請求項４〜７のいずれか一項に記載の電子ペン。
【請求項９】
前記接続および緩和する手段は、前記第１の保持部材から突出して設けられた第１の接続部分を備え、前記第１の接続部分は、前記第２の保持部材に設けられた対応する第２の接続部分に接続され、
前記第１と第２の接続部分は、締付け手段によって互いに取り付けられる、請求項８に記載の電子ペン。
【請求項１０】
前記第１と第２の接続部分のうちの少なくとも１つは、前記衝撃の緩和を行うために少なくとも部分的に弾性を有する、請求項９に記載の電子ペン。
【請求項１１】
前記第１の接続部分は、前記第１の保持部材に設けられた管状突起部を備え、前記管状突起部は、前記第２の保持部材に設けられた凹部に対応するものであり、
前記締付け手段は、前記凹部から前記管状突起部の中へ延びるネジまたはリベットを備える、請求項９または１０に記載の電子ペン。
【請求項１２】
前記音声モジュールは、スピーカが取り付けられる音声ボックスを備える、請求項１〜１１のいずれか一項に記載の電子ペン。
【請求項１３】
前記音声ボックスは、前記音声モジュールを保持する前記取付けユニットの壁部分によって、および／または、前記ケーシングの内側から突出する壁部分によって形成され、
前記壁部分は、前記スピーカが配置される開口を形成し、前記壁部分および前記スピーカは、前記音声ボックスの閉鎖空間を定める、請求項１２に記載の電子ペン。
【請求項１４】
前記スピーカのための前記開口は、前記取付けユニットの第２の保持部材の壁部分に形成される、請求項１３に記載の電子ペン。
【請求項１５】
前記スピーカのための前記開口は、前記取付けユニットの第２のプリント回路基板に形成される、請求項１３に記載の電子ペン。
【請求項１６】
前記スピーカのための前記開口は、前記ケーシングの内側からペン中心軸に向けて延びる前記ケーシングの壁部分によって定められる、請求項１３に記載の電子ペン。
【請求項１７】
第２のプリント回路基板の少なくとも一部分は、前記音声ボックスの前記閉鎖空間に接して延びている、請求項１３〜１６のいずれか一項に記載の電子ペン。
【請求項１８】
前記第２のプリント回路基板の一部分は、前記音声ボックスの前記閉鎖空間に接して配置されており、電子部品を備えている、請求項１７に記載の電子ペン。
【請求項１９】
前記第２のプリント回路基板は、前記音声ボックスの前記閉鎖空間内に延びている、請求項１７または１８に記載の電子ペン。
【請求項２０】
前記音声ボックスは、前記音声モジュールの前記第２の保持部材の壁部分によって形成され、前記壁部分は、前記スピーカのための開口から離れた反対側の開口を定め、前記反対側の開口は、前記音声モジュールの前記第２のプリント回路基板によって閉鎖され、
前記音声ボックスの前記閉鎖空間は、前記スピーカ、前記保持部材の壁部分、および、前記第２のプリント回路基板によって定められる、請求項５および１４に記載の電子ペン。
【請求項２１】
前記反対側の開口を定める壁端部分が、前記音声ボックスの前記閉鎖空間を定める前記第２のプリント回路基板の表面に押しあてて封止されている、請求項２０に記載の電子ペン。
【請求項２２】
封止要素が、前記壁端部分と前記第２のプリント回路基板の前記表面との間に配置されている、請求項２１に記載の電子ペン。
【請求項２３】
前記第２のプリント回路基板の一部分は、前記音声ボックスの前記閉鎖空間内に配置されており、電子部品を備えている、請求項２０または２１に記載の電子ペン。
【請求項２４】
前記ケーシングは、主ケーシング部材と前部ケーシング部材とを備え、
前記前部ケーシング部材は、ロックピンによって主ケーシング部材に接続されており、
前記ロックピンは、前記主ケーシング部材と前部ケーシング部材の壁に設けられたロックピン穴を介して前記ケーシングを横切って延びており、不正開封防止構造を提供する、請求項１〜２３のいずれか一項に記載の電子ペン。
【請求項２５】
前記主ケーシング部材は、第１の結合部分を有しており、前記第１の結合部分は、前記前部ケーシング部材に設けられた対応する第２の結合部分と結合し、
前記ロックピン穴は、前記第１と第２の結合部分に設けられている、請求項２４に記載の電子ペン。
【請求項２６】
前記ロックピンは、前記取付けユニットに設けられた穴を通って延びている、請求項２５に記載の電子ペン。
【請求項２７】
前記ロックピンは、前記ケーシングの外面の両側から外向きに突出し、
前記ロックピンの両側の突出部は、キャップの内側に設けられた対応する凹部に係合して、前記前部ケーシング部材を覆うように取り付けられたときに前記キャップを取外し可能に接続するように構成されている請求項２４〜２６のいずれか一項に記載の電子ペン。
【請求項２８】
前記ケーシングは、主ケーシング部材を形成するように接合された２つの細長いシェル部材を備え、前記２つのシェル部材には、前部ケーシング部材が取り付けられ、
前記シェル部材は、内部固定手段を有しており、前記内部固定手段は、前記ケーシング内に収納される前記取付けユニットに設けられた対応固定手段に対応する、請求項１〜２７のいずれか一項に記載の電子ペン。
【請求項２９】
前記ロックピンは、前記２つのシェル部材のうちの１つを横切って延び、かつ、前記２つのシェル部材のうちの１つをロックする、請求項２７および２８に記載の電子ペン。
【請求項３０】
前記ケーシングは、一体に形成された管状主ケーシング部材と、前記主ケーシング部材の後端部に取り付けられた後部ケーシング部材と、内部固定手段とを有しており、前記内部固定手段は、前記ケーシング内に収納される前記取付けユニットに設けられた対応固定手段に対応する、請求項１〜２７のいずれか一項に記載の電子ペン。
【請求項３１】
前記位置決めモジュールは、前記表面上でコードを感知するための光学手段を備える、請求項１〜３０のいずれか一項に記載の電子ペン。
【請求項３２】
前記音声モジュールは、マイクロフォンをさらに備える、請求項１〜３１のいずれか一項に記載の電子ペン。
【請求項３３】
前記マイクロフォンは、前記音声モジュールの第２の保持部材に取り付けられる弾性要素によって支持されている、請求項３２に記載の電子ペン。